(57)【要約】      （修正有）【課題】棒状化粧料が先方へのみ移動でき、後退してしまうことを的確に防止することができる簡略構成の棒状化粧料繰出容器を提供する。【解決手段】後端側に円筒状容器本体を、先端側に化粧料を充填した円筒状スリーブを備え、これらの内部に、後端側から先端側に順に雄ネジ棒状体と、逆転防止弾性ラッチ体と、この逆転防止弾性ラッチ体と接合させる円筒状雌ネジ体とを内蔵した構成とし、円筒状雌ネジ体と逆転防止弾性ラッチ体との接合箇所に、各々設けた例えば８個ずつの偏り形状の突起部の噛み合いを利用した逆転防止機構部を設け、逆転防止弾性ラッチ体の弾性体部による弾力の作用下で逆転防止弾性ラッチ体の突起部を円筒状雌ネジ体の突起部を乗り越えさせて逆転防止弾性ラッチ体とともに円筒状容器本体を正回転可能とし、逆回転操作時には突起部による抵抗力で逆転防止弾性ラッチ体、円筒状容器本体の逆転を阻止する。【選択図】図３
0003204368.tif 000002
【実用新案登録請求の範囲】
【請求項１】
後端側に円筒状容器本体を、先端側に化粧料を充填した円筒状スリーブを備えるとともに、前記円筒状容器本体及び円筒状スリーブの内部に、後端側から先端側に順に雄ネジ棒状体と、逆転防止弾性ラッチ体と、この逆転防止弾性ラッチ体と接合させる円筒状雌ネジ体とを内蔵した棒状化粧料繰出容器であって、
前記雄ネジ棒状体は、先端に化粧料押出突片を装着し、後端に前記円筒状容器本体の内周壁面に摺接して移動可能な摺動円板体を具備し、前記化粧料押出突片の後端側から摺動円板体の近傍に至る範囲で雄ネジを形成して構成し、
前記円筒状雌ネジ体は、前記円筒状スリーブの後端面に固着する円環状鍔部を備えるとともに貫通孔の内周部に前記雄ネジ棒状体の雄ネジ部が螺合する雌ネジ部を設け、かつ、前記雄ネジ部及び化粧料押出突片を前記円筒状スリーブ内に挿通させ、化粧料の先方への繰り出しを可能とするように構成し、
前記逆転防止弾性ラッチ体は、前記雄ネジ棒状体を貫通可能とするとともに、円筒状容器本体の内周に固定する後端円環部と、所定の間隔をもって先端側に配置され前記円筒状容器本体の内周壁面と摺接させた先端円環部と、前記後端円環部と先端円環部とを連結し先端側に弾力を作用する弾性体部とを備えて構成し、
前記円筒状雌ネジ体と逆転防止弾性ラッチ体との接合箇所に各々設けた冠歯車近似形態の複数個ずつの偏り形状の突起部の噛み合いを利用した逆転防止機構部を設け、
前記円筒状容器本体の正回転操作時には前記弾性体部による弾力の作用下で逆転防止弾性ラッチ体の突起部を円筒状雌ネジ体の突起部を乗り越えさせて前記逆転防止弾性ラッチ体とともに円筒状容器本体を正回転可能とし、
前記円筒状容器本体の逆回転操作時には前記円筒状雌ネジ体側の複数の偏り形状の突起部による抵抗力で前記逆転防止弾性ラッチ体、円筒状容器本体の逆転を阻止する構成としたことを特徴とする棒状化粧料繰出容器。
【請求項２】
円筒状容器本体及び先細円筒状で化粧料を円形貫通長孔内に充填した円筒状スリーブによりペン型状に形成され、前記円筒状容器本体の先端側に、気密性をもって着脱可能に装着される円筒状で、かつ、先端部を閉塞した気密キャップを着脱可能に備える棒状化粧料繰出容器であって、
前記雄ネジ棒状体は、先端に化粧料押出突片を装着し、後端に前記円筒状容器本体の内周壁面に摺接して移動可能な摺動円板体を具備し、前記化粧料押出突片の後端側から摺動円板体の近傍に至る範囲で雄ネジを形成して構成し、
前記円筒状雌ネジ体は、前記円筒状スリーブの後端面に固着する円環状鍔部を備えるとともに貫通孔の内周部に前記雄ネジ棒状体の雄ネジ部が螺合する雌ネジ部を設け、かつ、前記雄ネジ部及び化粧料押出突片を前記円筒状スリーブ内に挿通させ、化粧料の先方への繰り出しを可能とするように構成し、
前記逆転防止弾性ラッチ体は、前記雄ネジ棒状体を貫通可能とするとともに、円筒状容器本体の内周に固定する後端円環部と、所定の間隔をもって先端側に配置され前記円筒状容器本体の内周壁面と摺接させた先端円環部と、前記後端円環部と先端円環部とを連結し先端側に弾力を作用する弾性体部とを備えて構成し、
前記円筒状雌ネジ体と逆転防止弾性ラッチ体との接合箇所に各々設けた冠歯車近似形態の８個ずつの偏り形状の突起の噛みみ合いを利用した逆転防止機構部を設け、
前記円筒状容器本体の正回転操作時には前記弾性体部による弾力の作用下で逆転防止弾性ラッチ体の突起部を円筒状雌ネジ体の突起部を乗り越えさせて前記逆転防止弾性ラッチ体とともに円筒状容器本体を正回転可能とし、
前記円筒状容器本体の逆回転操作時には前記円筒状雌ネジ体側の８個の偏り形状の突起部による抵抗力で前記逆転防止弾性ラッチ体、円筒状容器本体の逆転を阻止する構成としたことを特徴とする棒状化粧料繰出容器。
【請求項３】
前記逆転防止機構部における前記円筒状雌ネジ体の突起部は、正回転方向に上昇する傾斜辺部と、円筒状雌ネジ体の長さ方向に略沿った急勾配辺部とを有し、傾斜辺部と急勾配辺部とが交差する頂点部を丸め形状とした偏り山形状に形成され、
前記逆転防止弾性ラッチ体の突起部は、正面視で正回転方向に下降する傾斜辺部と、前記逆転防止弾性ラッチ体の長さ方向に略沿った急勾配辺部とを有し、傾斜辺部と急勾配辺部とが交差する頂点部を丸め形状とした偏り山形状に形成され、
前記円筒状雌ネジ体の突起部の急勾配辺部と、前記逆転防止弾性ラッチ体の突起部の急勾配辺部とを接合状態とすることで、前記円筒状雌ネジ体の突起部による逆回転操作時の抵抗力を発揮させることを特徴とする請求項１又は２記載の棒状化粧料繰出容器。
【考案の詳細な説明】
【技術分野】
【０００１】
本考案は、棒状化粧料繰出容器に関するものであり、詳しくは、棒状化粧料が先方へのみ移動でき、後退してしまうことを的確に防止することができる簡略構成の棒状化粧料繰出容器に関するものである。
【背景技術】
【０００２】
従来、例えば、円筒状で、かつ、ペン型形態に形成した棒状化粧料繰出容器にあっては、特に使用者の利便性の観点から棒状化粧料が先方へのみ移動でき、後退しないような簡略構成のものが要請される。
【０００３】
特許文献１は、本願出願人が先に提案し実用新案登録を得ている棒状化粧料繰出容器であって、当該特許文献１には、円筒状で、かつ、ペン型状に形成されるとともに、先端部には、先端突出円筒部を設けた容器本体と、前記容器本体の先端突出円筒部に気密性をもって着脱可能に装着される円筒状の気密キャップと、前記容器本体内に収容されるとともに、長さ方向全体にわたって同ピッチの螺旋を描く雄ネジ部を備え、容器本体とともに回転可能に、かつ、先端側に移動可能とした丸棒状雄ネジ体と、前記容器本体内に配置されるとともに、その内周部には長さ方向略全体にわたって前記丸棒状雄ネジ体の雄ネジ部に螺合する螺旋ネジを設けた円筒状雌ネジ体と、気密性を有する素材により形成され前記円筒状雌ネジ体と連結状態で前記容器本体内に配置されるとともに、その内部を丸棒状の押し棒を進退動可能な貫通状態とし、先端側の端部に丸棒状の押し棒用の繰り出し孔を設けた気密ジョイントと、前記円筒状雌ネジ体、気密ジョイント内を移動するとともに、後端部に丸棒状雄ネジ体の先端部を当接させ、先端部に設けた半球状部を前記気密ジョイントの繰り出し孔の先端側端面に臨ませた丸棒状の押し棒と、先細円筒状に形成され、その後端側に前記円筒状気密ジョイントの先端側が密に嵌着されるとともに前記容器本体の先端側が密に、かつ、回転可能に嵌着され、内部に棒状化粧料を先方へ繰り出し可能に収容する収容貫通孔を設けた円筒状スリーブと、を有する棒状化粧料繰出容器が開示されている。
【０００４】
この特許文献１の棒状化粧料繰出容器の場合、容器本体の逆回転防止するために、容器本体内側のリブと、雌ねじ部に設けた突起の係り合い構造とし、細い容器本体内部に微小な突起を設けていることと、容器本体の突起と円筒状雌ネジ体の突起が２箇所だけのために、充分な嵌合強度を得ることができない場合があり、意図せずに強い力合で逆方向に回そうとすると突起の嵌合が外れ逆回転をしてしまう場合が生じて、この結果、使用者の利便性を損なう事態が生じ得るという問題を包含している。
【先行技術文献】
【特許文献】
【０００５】
【特許文献１】登録実用新案第３１８２０１５号公報
【考案の概要】
【考案が解決しようとする課題】
【０００６】
本考案は、上述した特許文献１に係る棒状化粧料繰出容器の技術を踏まえ、その改良を図ったものであり、棒状化粧料が先方へのみ移動でき、後退してしまうことを的確に防止することができる簡略構成の棒状化粧料繰出容器を実現し、提供することを目的とするものである。
【課題を解決するための手段】
【０００７】
本考案は、後端側に円筒状容器本体を、先端側に化粧料を充填した円筒状スリーブを備えるとともに、前記円筒状容器本体及び円筒状スリーブの内部に、後端側から先端側に順に雄ネジ棒状体と、逆転防止弾性ラッチ体と、この逆転防止弾性ラッチ体と接合させる円筒状雌ネジ体とを内蔵した棒状化粧料繰出容器であって、前記雄ネジ棒状体は、先端に化粧料押出突片を装着し、後端に前記円筒状容器本体の内周壁面に摺接して移動可能な摺動円板体を具備し、前記化粧料押出突片の後端側から摺動円板体の近傍に至る範囲で雄ネジを形成して構成し、前記円筒状雌ネジ体は、前記円筒状スリーブの後端面に固着する円環状鍔部を備えるとともに貫通孔の内周部に前記雄ネジ棒状体の雄ネジ部が螺合する雌ネジ部を設け、かつ、前記雄ネジ部及び化粧料押出突片を前記円筒状スリーブ内に挿通させて、化粧料の先方への繰り出しを可能とするように構成し、前記逆転防止弾性ラッチ体は、前記雄ネジ棒状体を貫通可能とするとともに、円筒状容器本体の内周に固定する後端円環部と、所定の間隔をもって先端側に配置され前記円筒状容器本体の内周壁面と摺接させた先端円環部と、前記後端円環部と先端円環部とを連結し先端側に弾力を作用する弾性体部とを備えて構成し、前記円筒状雌ネジ体と逆転防止弾性ラッチ体との接合箇所に各々設けた冠歯車近似形態の複数個ずつの偏り形状の突起部の噛み合いを利用した逆転防止機構部を設け、前記円筒状容器本体の正回転操作時には前記弾性体部による弾力の作用下で逆転防止弾性ラッチ体の突起部を円筒状雌ネジ体の突起部を乗り越えさせて前記逆転防止弾性ラッチ体とともに円筒状容器本体を正回転可能とし、前記円筒状容器本体の逆回転操作時には前記円筒状雌ネジ体側の複数の偏り形状の突起部による抵抗力で前記逆転防止弾性ラッチ体、円筒状容器本体の逆転を阻止する構成としたことを最も主要な特徴とする。
【考案の効果】
【０００８】
請求項１記載の考案によれば、円筒状容器本体の正回転操作によって簡略容易に化粧料を円筒状スリーブの先方に繰り出し使用者の利用に供することができるとともに、逆転防止機構部の逆転防止作用により円筒状容器本体の逆転、化粧料の後退を的確に防止することができる簡略構造の棒状化粧料繰出容器を実現し提供することができる。
【０００９】
請求項２記載の考案によれば、前記円筒状雌ネジ体と逆転防止弾性ラッチ体との接合箇所に各々設けた冠歯車近似形態の８個ずつの偏り形状の突起の噛み合いを利用した逆転防止機構部を採用した構成の基に、請求項１記載の考案と同様な効果を奏する棒状化粧料繰出容器を実現し提供することができる。
【００１０】
請求項３記載の考案によれば、請求項１又は２記載の考案において、逆転防止機構部を、前記円筒状雌ネジ体の突起部の急勾配辺部と、前記逆転防止弾性ラッチ体の突起部の急勾配辺部とを接合状態とすることで、前記円筒状雌ネジ体の突起部による逆回転操作時の抵抗力を発揮させる構成として、この逆転防止機構部の逆転防止作用により円筒状容器本体の逆転、化粧料の後退を的確に防止することができる棒状化粧料繰出容器実現し提供することができる。
【図面の簡単な説明】
【００１１】
【図１】図１は本考案の実施例に係る棒状化粧料繰出容器を透視図形態で示す概略図である。
【図２】図２は図１のＡ−Ａ線概略断面図である。
【図３】図３は図２のＢ部の概略拡大断面図である。
【図４】図４は本実施例に係る棒状化粧料繰出容器における円筒状雌ネジ体の概略正面図である。
【図５】図５は本実施例に係る棒状化粧料繰出容器における円筒状雌ネジ体の概略右側面図である。
【図６】図５のＣ−Ｃ線断面図である。
【図７】図７は本実施例に係る棒状化粧料繰出容器における逆転防止弾性ラッチ体の概略正面図である。
【図８】図８は本実施例に係る棒状化粧料繰出容器における逆転防止弾性ラッチ体の概略斜視図である。
【図９】図９は本実施例に係る棒状化粧料繰出容器における逆転防止機構部を示す概略説明図である。
【考案を実施するための形態】
【００１２】
本考案は、棒状化粧料が先方へのみ移動でき、後退してしまうことを的確に防止することができる簡略構成の棒状化粧料繰出容器を提供するという目的を、円筒状容器本体及び先細円筒状で化粧料を円形貫通長孔内に充填した円筒状スリーブによりペン型状に形成され、前記円筒状容器本体の先端側に、気密性をもって着脱可能に装着される円筒状で、かつ、先端部を閉塞した気密キャップを着脱可能に備える棒状化粧料繰出容器であって、前記雄ネジ棒状体は、先端に化粧料押出突片を装着し、後端に前記円筒状容器本体の内周壁面に摺接して移動可能な摺動円板体を具備し、前記化粧料押出突片の後端側から摺動円板体の近傍に至る範囲で雄ネジを形成して構成し、前記円筒状雌ネジ体は、前記円筒状スリーブの後端面に固着する円環状鍔部を備えるとともに貫通孔の内周部に前記雄ネジ棒状体の雄ネジ部が螺合する雌ネジ部を設け、かつ、前記雄ネジ部及び化粧料押出突片を前記円筒状スリーブ内に挿通させ、化粧料の先方への繰り出しを可能とするように構成し、前記逆転防止弾性ラッチ体は、前記雄ネジ棒状体を貫通可能とするとともに、円筒状容器本体の内周に固定する後端円環部と、所定の間隔をもって先端側に配置され前記円筒状容器本体の内周壁面と摺接させた先端円環部と、前記後端円環部と先端円環部とを連結し先端側に弾力を作用する弾性体部とを備えて構成し、前記円筒状雌ネジ体と逆転防止弾性ラッチ体との接合箇所に各々設けた冠歯車近似形態の例えば８個ずつの偏り形状の突起の噛み合いを利用した逆転防止機構部を設け、前記円筒状容器本体の正回転操作時には前記弾性体部による弾力の作用下で逆転防止弾性ラッチ体の突起部を円筒状雌ネジ体の突起部を乗り越えさせて前記逆転防止弾性ラッチ体とともに円筒状容器本体を正回転可能とし、前記円筒状容器本体の逆回転操作時には前記円筒状雌ネジ体側の例えば８個の偏り形状の突起部による抵抗力で前記逆転防止弾性ラッチ体、円筒状容器本体の逆転を阻止する構成により実現した。
【実施例】
【００１３】
以下、本考案の実施例に係る棒状化粧料繰出容器について図面を参照して詳細に説明する。
【００１４】
なお、本実施例においては、図１に示すように、先端側、後端側を図１に示すように定義し、また円筒状容器本体２の正転、逆転方向を同じく図１に示すように定義して以下の説明を行う。
【００１５】
本実施例の棒状化粧料繰出容器１は、図１、図２に示すように、円筒状に形成した円筒状容器本体２及び先細円筒状の円筒状スリーブ３によりペン型状に形成され、かつ、前記円筒状容器本体２の先端側に、気密性をもって着脱可能に装着される円筒状で、かつ、先端部を閉塞した気密キャップ４を着脱可能に備え、全体としてキャップ付きペンのような形態としている。
【００１６】
前記円筒状容器本体２は、図２に示すように、内周部長さ方向に後述する摺動円板体１３用の複数条の摺動溝５を形成するとともに、先端側内周部に、円筒状スリーブ３の後端側が装着される構成としている。
【００１７】
前記円筒状スリーブ３は、化粧料（棒状化粧料）Ｋを円形貫通長孔６内に充填し、その先端側から繰り出し可能とするとともに、その後端側を前記円筒状容器本体２の先端側に装着固定し、かつ、後端側に後述する円筒状雌ネジ体２１用の受孔部７を形成した構成としている。
【００１８】
本実施例に係る棒状化粧料繰出容器１は、更に、前記円筒状容器本体２及び円筒状スリーブ３の内部に、雄ネジ棒状体１１と、円筒状雌ネジ体２１と、逆転防止弾性ラッチ体３１とを内蔵している。
【００１９】
前記雄ネジ棒状体１１は、図１、図２、図３に示すように、先端に化粧料押出突片１２を装着し、後端に前記円筒状容器本体２の内周壁面に摺接する摺動円板体１３を具備し、前記化粧料押出突片１２の後端側から摺動円板体１３の近傍に至る範囲で雄ネジ部１４を形成している。
【００２０】
また、前記摺動円板体１３の外周部に、前記摺動溝５と係合する図示しない小突起を突出形成している。
【００２１】
これにより、前記雄ネジ棒状体１１の雄ネジ部１４を円筒状雌ネジ体２１に螺合した状態で、前記円筒状容器本体２を円筒状スリーブ３に対して正転方向に回転操作することで、前記摺動円板体１３を前記摺動溝５に係合させつつ前記雄ネジ棒状体１１を先端側に進行可能としている。
【００２２】
前記円筒状雌ネジ体２１は、図４乃至図６に示すように、その後端側に前記円筒状スリーブ３の後端面に密着固定する円環状鍔部２２を具備し、この円環状鍔部２２の後端面には円形配置に例えば８個の逆転防止突起部２３を等間隔に円形配列し、これら例えば８個の逆転防止突起部２３を詳細は後述する逆転防止弾性ラッチ体３１における８個の押圧側逆転防止突起部３４と噛み合わせるように構成している。なお、前記逆転防止突起部２３の設置個数は、図示する実施例では例えば８個としているが、この他、例えば、６個、７個等で構成しても良い。
【００２３】
また、前記円筒状雌ネジ体２１の貫通孔２４の内周部には、円環状鍔部２２の内方（先端側）に位置して前記雄ネジ棒状体１１の雄ネジ部１４が螺合する雌ネジ部（雌ネジ状突起）２５を設けるとともに、前記雄ネジ棒状体１１の雄ネジ部１４及び化粧料押出突片１２を挿通させている。
【００２４】
そして、前記雄ネジ棒状体１１の円筒状スリーブ３側への進行に伴い、前記化粧料押出突片１２及び雄ネジ部１４を円筒状スリーブ３に設けた化粧料Ｋを充填している円形貫通長孔６内に進入可能とし、前記化粧料押出突片１２により化粧料Ｋを円筒状スリーブ３の先端より更に先方に繰り出し可能としている。
【００２５】
前記逆転防止弾性ラッチ体３１は、図７、図８に示すように、前記円筒状容器本体２内で前記円筒状雌ネジ体２１よりも後端側に隣接して配置され、かつ、前記雄ネジ棒状体１１が貫通可能に構成している。
【００２６】
すなわち、逆転防止弾性ラッチ体３１は、その後端円環部３２を前記円筒状容器本体２の内周壁面に固着するとともに、後端円環部３２より所定の間隔をもって先端側に位置する前記円筒状容器本体２の内周壁面と摺接させた先端円環部３３の先端面側に円形配置に例えば８個の押圧側逆転防止突起部３４を等間隔に配列している。
【００２７】
そして、これら８個の押圧側逆転防止突起部３４を前記円筒状雌ネジ体２１の８個の逆転防止突起部２３と噛み合わせるように構成している。
【００２８】
また、前記逆転防止弾性ラッチ体３１は、前記後端円環部３２と先端円環部３３との間に例えば二重螺旋構造の弾性体部３５を連結し、この弾性体部３５による弾力により、前記先端円環部３３に設けた例えば８個の押圧側逆転防止突起部３４を前記円筒状雌ネジ体２１の８個の逆転防止突起部２３側に圧接し嵌合させるように構成している。
【００２９】
ここで、前記８個の逆転防止突起部２３、及び８個の押圧側逆転防止突起部３４により構成する逆転防止機構部４１について、図９を参照して説明する。
【００３０】
前記円筒状雌ネジ体２１の各逆転防止突起部２３は、図９に示すように、正面視で正回転方向に上昇する傾斜辺部２３ａと、前記円筒状雌ネジ体２１の長さ方向に略沿った急勾配辺部２３ｂとを有し、傾斜辺部２３ａと急勾配辺部２３ｂとが交差する頂点部２３ｃを丸め形状とした偏り山形状に形成している。
【００３１】
そして、このような各逆転防止突起部２３を前記円環状鍔部２２の後端面に例えば８個等間隔で円形配列し、隣り合う逆転防止突起部２３同士の間をレ文字状の連接部２３ｅで連ねるように形成し、８個の逆転防止突起部２３全体で冠歯車近似形態としている。
【００３２】
一方、前記逆転防止弾性ラッチ体３１の各押圧側逆転防止突起部３４は、図９に示すように、正面視で正回転方向に下降する傾斜辺部３４ａと、前記逆転防止弾性ラッチ体３１の長さ方向に略沿った急勾配辺部３４ｂとを有し、傾斜辺部３４ａと急勾配辺部３４ｂとが交差する頂点部３４ｃを丸め形状とした偏り山形状に形成している。
【００３３】
そして、このような各押圧側逆転防止突起部３４を前記先端円環部３３の先端面側に８個等間隔で円形配列し、隣り合う押圧側逆転防止突起部３４同士の間をレ文字状の連接部３４ｅで連ねるように形成し、８個の押圧側逆転防止突起部３４全体で冠歯車近似形態としている。
【００３４】
本実施例においては、上述した例えば８個の逆転防止突起部２３と、８個の押圧側逆転防止突起部３４とを、前記逆転防止突起部２３の各急勾配辺部２３ｂと、前記押圧側逆転防止突起部３４の各急勾配辺部３４ｂとが各々接合する状態で、かつ、前記弾性体部３５による弾力が作用する状態で噛み合わせている。なお、前記逆転防止突起部２３の設置個数は、図示する実施例では例えば８個としているが、この他、例えば、６個、７個等で構成しても良いことは前述した通りである。
【００３５】
次に、本実施例に係る棒状化粧料繰出容器１の作用、効果を、化粧料Ｋの繰り出し操作、及び前記逆転防止機構部４１による逆転防止作用を主にして説明する。
【００３６】
本実施例に係る棒状化粧料繰出容器１において、前記円筒状容器本体２を指で持ち、前記円筒状スリーブ３に対して正転方向に操作すると、前記雄ネジ棒状体１１の雄ネジ部１４は正転方向に回転し円筒状雌ネジ体２１の雌ネジ部２５に螺合して先端側に進行する。
【００３７】
このとき、前記雄ネジ棒状体１１の前記摺動円板体１３も前記摺動溝５に係合しつ先端側に進行する。
【００３８】
前記雄ネジ棒状体１１の先端側に進行に伴い、前記化粧料押出突片１２及び雄ネジ部１４は、円筒状スリーブ３に設けた化粧料Ｋを充填している円形貫通長孔６内に進入し、前記化粧料押出突片１２により、化粧料Ｋを円筒状スリーブ３の先端より更に先方に繰り出す。
【００３９】
これにより、当該繰り出した化粧料Ｋを、この棒状化粧料繰出容器１の使用者の化粧の用に供することができる。
【００４０】
上述した化粧料Ｋの繰り出し操作時において、前記逆転防止機構部４１は以下のように作用する。
【００４１】
すなわち、前記円筒状容器本体２の正転時には、前記押圧側逆転防止突起部３４の頂点部３４ｃが前記円筒状雌ネジ体２１の逆転防止突起部２３における傾斜辺部２３ａに接しつつ次々と各頂点部２３ｃを乗り越えていく。
【００４２】
この時、前記逆転防止弾性ラッチ体３１の先端円環部３３は弾性体部３５の弾力に抗して後端側に小寸法後退し、また、先端側に移動する動作を繰り返す。
【００４３】
このような前記逆転防止機構部４１の作用により、化粧料Ｋの繰り出し操作を何等支障なく円滑に実行することができる。
【００４４】
一方、棒状化粧料繰出容器１の使用者が初期状態にある前記円筒状容器本体２を逆転しようとした場合においては、固定配置としている前記逆転防止突起部２３の例えば８個の急勾配辺部２３ｂと、前記逆転防止弾性ラッチ体３１における前記押圧側逆転防止突起部３４の各急勾配辺部３４ｂとが各々接合する状態にあるために、８個の急勾配辺部２３ｂによる大きな抵抗力が前記押圧側逆転防止突起部３４の８個の急勾配辺部３４ｂに作用し、これにより、前記円筒状容器本体２の逆転という誤操作に伴う化粧料Ｋの後退という不都合な事態を確実に防止することができる。
【００４５】
なお、本実施例に係る棒状化粧料繰出容器１において、前記逆転防止突起部２３、押圧側逆転防止突起部３４の個数は上述した例に限定されるものではなく、また、前記弾性体部３５も上述した例に限定されるものではない。
【産業上の利用可能性】
【００４６】
本考案は、特に棒状化粧料繰り出し式の各種の化粧料容器における棒状化粧料の後退防止対策として好適に利用可能である。
【符号の説明】
【００４７】
１    棒状化粧料繰出容器
２    円筒状容器本体
３    円筒状スリーブ
４    気密キャップ
５    摺動溝
６    円形貫通長孔
７    受孔部
１１    雄ネジ棒状体
１２    化粧料押出突片
１３    摺動円板体
１４    雄ネジ部
２１    円筒状雌ネジ体
２２    円環状鍔部
２３    逆転防止突起部
２３ａ  傾斜辺部
２３ｂ  急勾配辺部
２３ｃ  頂点部
２３ｅ  連接部
２４    貫通孔
２５    雌ネジ部
３１    逆転防止弾性ラッチ体
３２    後端円環部
３３    先端円環部
３４    押圧側逆転防止突起部
３４ａ  傾斜辺部
３４ｂ  急勾配辺部
３４ｃ  頂点部
３４ｅ  連接部
３５    弾性体部
４１    逆転防止機構部
Ｋ    化粧料
【図１】
0003204368.tif 000003
【図２】
0003204368.tif 000004
【図３】
0003204368.tif 000005
【図４】
0003204368.tif 000006
【図５】
0003204368.tif 000007
【図６】
0003204368.tif 000008
【図７】
0003204368.tif 000009
【図８】
0003204368.tif 000010
【図９】
0003204368.tif 000011
【手続補正書】
【提出日】平成28年3月28日(2016.3.28)
【手続補正１】
【補正対象書類名】実用新案登録請求の範囲
【補正対象項目名】全文
【補正方法】変更
【補正の内容】
【実用新案登録請求の範囲】
【請求項１】
後端側に円筒状容器本体を、先端側に化粧料を充填した円筒状スリーブを備えるとともに、前記円筒状容器本体及び円筒状スリーブの内部に、後端側から先端側に順に雄ネジ棒状体と、逆転防止弾性ラッチ体と、この逆転防止弾性ラッチ体と接合させる円筒状雌ネジ体とを内蔵した棒状化粧料繰出容器であって、
前記雄ネジ棒状体は、先端に化粧料押出突片を装着し、後端に前記円筒状容器本体の内周壁面に摺接して移動可能な摺動円板体を具備し、前記化粧料押出突片の後端側から摺動円板体の近傍に至る範囲で雄ネジを形成して構成し、
前記円筒状雌ネジ体は、前記円筒状スリーブの後端面に固着する円環状鍔部を備えるとともに貫通孔の内周部に前記雄ネジ棒状体の雄ネジ部が螺合する雌ネジ部を設け、かつ、前記雄ネジ部及び化粧料押出突片を前記円筒状スリーブ内に挿通させ、化粧料の先方への繰り出しを可能とするように構成し、
前記逆転防止弾性ラッチ体は、前記雄ネジ棒状体を貫通可能とするとともに、円筒状容器本体の内周に固定する後端円環部と、所定の間隔をもって先端側に配置され前記円筒状容器本体の内周壁面と摺接させた先端円環部と、前記後端円環部と先端円環部とを連結し先端側に弾力を作用する弾性体部とを備えて構成し、
前記円筒状雌ネジ体と逆転防止弾性ラッチ体との接合箇所に各々設けた冠歯車近似形態の複数個ずつの偏り形状の突起部の噛み合いを利用した逆転防止機構部を設け、
前記円筒状容器本体の正回転操作時には前記弾性体部による弾力の作用下で逆転防止弾性ラッチ体の突起部を円筒状雌ネジ体の突起部を乗り越えさせて前記逆転防止弾性ラッチ体とともに円筒状容器本体を正回転可能とし、
前記円筒状容器本体の逆回転操作時には前記円筒状雌ネジ体側の複数の偏り形状の突起部による抵抗力で前記逆転防止弾性ラッチ体、円筒状容器本体の逆転を阻止する構成としたことを特徴とする棒状化粧料繰出容器。
【請求項２】
後端側に円筒状容器本体を、先端側に化粧料を充填した円筒状スリーブを備えるとともに、前記円筒状容器本体及び円筒状スリーブの内部に、後端側から先端側に順に雄ネジ棒状体と、逆転防止弾性ラッチ体と、この逆転防止弾性ラッチ体と接合させる円筒状雌ネジ体とを内蔵し、前記円筒状容器本体及び先細円筒状で化粧料を円形貫通長孔内に充填した前記円筒状スリーブによりペン型状に形成され、前記円筒状容器本体の先端側に、気密性をもって着脱可能に装着される円筒状で、かつ、先端部を閉塞した気密キャップを着脱可能に備える棒状化粧料繰出容器であって、
前記雄ネジ棒状体は、先端に化粧料押出突片を装着し、後端に前記円筒状容器本体の内周壁面に摺接して移動可能な摺動円板体を具備し、前記化粧料押出突片の後端側から摺動円板体の近傍に至る範囲で雄ネジを形成して構成し、
前記円筒状雌ネジ体は、前記円筒状スリーブの後端面に固着する円環状鍔部を備えるとともに貫通孔の内周部に前記雄ネジ棒状体の雄ネジ部が螺合する雌ネジ部を設け、かつ、前記雄ネジ部及び化粧料押出突片を前記円筒状スリーブ内に挿通させ、化粧料の先方への繰り出しを可能とするように構成し、
前記逆転防止弾性ラッチ体は、前記雄ネジ棒状体を貫通可能とするとともに、円筒状容器本体の内周に固定する後端円環部と、所定の間隔をもって先端側に配置され前記円筒状容器本体の内周壁面と摺接させた先端円環部と、前記後端円環部と先端円環部とを連結し先端側に弾力を作用する弾性体部とを備えて構成し、
前記円筒状雌ネジ体と逆転防止弾性ラッチ体との接合箇所に各々設けた冠歯車近似形態の８個ずつの偏り形状の突起の噛み合いを利用した逆転防止機構部を設け、
前記円筒状容器本体の正回転操作時には前記弾性体部による弾力の作用下で逆転防止弾性ラッチ体の突起部を円筒状雌ネジ体の突起部を乗り越えさせて前記逆転防止弾性ラッチ体とともに円筒状容器本体を正回転可能とし、
前記円筒状容器本体の逆回転操作時には前記円筒状雌ネジ体側の８個の偏り形状の突起部による抵抗力で前記逆転防止弾性ラッチ体、円筒状容器本体の逆転を阻止する構成としたことを特徴とする棒状化粧料繰出容器。
【請求項３】
前記逆転防止機構部における前記円筒状雌ネジ体の突起部は、正回転方向に上昇する傾斜辺部と、円筒状雌ネジ体の長さ方向に略沿った急勾配辺部とを有し、傾斜辺部と急勾配辺部とが交差する頂点部を丸め形状とした偏り山形状に形成され、
前記逆転防止弾性ラッチ体の突起部は、正面視で正回転方向に下降する傾斜辺部と、前記逆転防止弾性ラッチ体の長さ方向に略沿った急勾配辺部とを有し、傾斜辺部と急勾配辺部とが交差する頂点部を丸め形状とした偏り山形状に形成され、
前記円筒状雌ネジ体の突起部の急勾配辺部と、前記逆転防止弾性ラッチ体の突起部の急勾配辺部とを接合状態とすることで、前記円筒状雌ネジ体の突起部による逆回転操作時の抵抗力を発揮させることを特徴とする請求項１又は２記載の棒状化粧料繰出容器。